(57)【要約】【課題】簡単な構造で汎用性の高い面発光ユニットを提供する。【解決手段】面発光パネル４と、取り付け対象となる壁面に固定される取付部材２と、面発光パネル４を保持する保持部材３を含む面発光ユニット１を形成する。保持部材３は、係止部３５とパネル保持部３６を有するものとする。さらに、係止部３５は、取付部材２の突起部１６と壁面との間に挿入される挿入部４７と、挿入部４７から離れた位置で壁面と接触する接触部４１を有するものとする。パネル保持部３６は、面発光パネル４を両主面側から挟持する挟持部５６を有するものとする。そして、面発光パネル４を保持した保持部材３を取付部材２に取り付けることで、面発光パネル４及び保持部材３の自重が壁面に支持されるものとする。【選択図】図３
2019197659.tif 000002
【特許請求の範囲】
【請求項１】
面発光パネルと、前記面発光パネルを保持する保持部材と、壁面に固定される取付部材を含む面発光ユニットであって、
前記面発光パネルは、点灯時に発光領域を含む発光面と裏面を両主面とするものであり、
前記取付部材は、前記壁面に対して垂直となる面と交わる方向に突出する突起部を備え、
前記保持部材は、係止部とパネル保持部を有し、
前記係止部は、湾曲又は屈曲して延びる形状であって、前記突起部と前記壁面との間に挿入される挿入部と、前記挿入部から離れた位置で前記壁面と接触する接触部を有し、
前記パネル保持部は、前記面発光パネルを両主面側から挟持する挟持部を有し、
前記面発光パネルを保持した前記保持部材を前記取付部材に取り付けることで、前記面発光パネル及び前記保持部材の自重が前記壁面に支持されることを特徴とする面発光ユニット。
【請求項２】
前記壁面が鉛直面であり、前記発光面が水平面であることを特徴とする請求項１に記載の面発光ユニット。
【請求項３】
前記発光面が上側を向いていることを特徴とする請求項２に記載の面発光ユニット。
【請求項４】
前記パネル保持部は、前記面発光パネルの裏面側に位置する水平板部を有し、
前記水平板部は、前記面発光パネルが直接又は間接的に載置されるパネル載置面と、前記パネル載置面の反対側に位置する化粧面を両主面とし、
前記化粧面が居住空間側を向くことを特徴とする請求項３に記載の面発光ユニット。
【請求項５】
前記パネル保持部は、前記面発光パネルの裏面側に位置する一の水平板部と、前記発光領域に隣接する隙間部分を有する他の水平板部を含み、
前記係止部は、一部が他部に対して屈曲可動が可能に形成されており、通常時姿勢と屈曲時姿勢の切り替えが可能であって、
屈曲時姿勢を維持可能な屈曲維持機構を備えることを特徴とする請求項１乃至４のいずれかに記載の面発光ユニット。
【請求項６】
前記面発光パネルが有機ＥＬパネルであることを特徴とする請求項１乃至５のいずれかに記載の面発光ユニット。
【発明の詳細な説明】
【技術分野】
【０００１】
本発明は、面発光パネルを含んで形成される面発光ユニットに関するものであり、特に室内の照明装置として好適に使用可能な面発光ユニットに関する。
【背景技術】
【０００２】
蛍光灯やＬＥＤに替わる発光デバイスとして、有機ＥＬ（Ｅｌｅｃｔｒｏ  Ｌｕｍｉｎｅｓｃｅｎｃｅ）パネルが注目され、多くの研究がなされている。
有機ＥＬパネルは、ガラス基板や透明樹脂フィルムの基材に、有機化合物等で構成される有機ＥＬ素子を積層した発光パネルである。有機ＥＬ素子は、陽極と陰極間に有機発光層を設けた発光素子である。有機発光層は、正孔注入層、正孔輸送層、発光層、電子輸送層、電子注入層等から構成されている。
【０００３】
この有機ＥＬパネルは、薄くて軽いため、様々な形状の照明器具に対して好適に採用可能である。また、有機ＥＬパネルを採用した照明器具は、有機ＥＬパネルが面光源であり拡散光を発するため、柔らかい光による温かみのある雰囲気を醸し出すことができる。
【０００４】
この有機ＥＬパネルを採用した照明装置として、例えば、特許文献１に開示されたものがある。特許文献１には、天井や側壁部分等の室内壁面に取り付けられ、有機ＥＬ等の面発光パネルを光源とする照明システムが開示されている。
この照明システムは、室内壁面に送電部材を取り付け、さらに送電部材に面発光パネルを取り付けて形成されている。
【先行技術文献】
【特許文献】
【０００５】
【特許文献１】特開２０１４−１７９２０４号公報
【発明の概要】
【発明が解決しようとする課題】
【０００６】
ところで、室内等の空間全体を明るくするための全般照明を暗めに設定し、これに全般照明を補う照明である部分照明を組み合わせ、美しく洗練された光空間を形成する照明手法が知られている。
【０００７】
本発明者らは、面発光パネルを光源とする面発光ユニットを構築し、このような部分照明として使用可能とすることを考えた。そして、このような面発光ユニットを構築する上で、簡単な構造で安価に製造可能であり、様々な室内で使用可能な汎用性が高いものとすることを考えた。
【０００８】
そこで本発明は、簡単な構造で汎用性の高い面発光ユニットを提供することを課題とする。
【課題を解決するための手段】
【０００９】
上記課題を解決するための請求項１に記載の発明は、面発光パネルと、前記面発光パネルを保持する保持部材と、壁面に固定される取付部材を含む面発光ユニットであって、前記面発光パネルは、点灯時に発光領域を含む発光面と裏面を両主面とするものであり、前記取付部材は、前記壁面に対して垂直となる面と交わる方向に突出する突起部を備え、前記保持部材は、係止部とパネル保持部を有し、前記係止部は、湾曲又は屈曲して延びる形状であって、前記突起部と前記壁面との間に挿入される挿入部と、前記挿入部から離れた位置で前記壁面と接触する接触部を有し、前記パネル保持部は、前記面発光パネルを両主面側から挟持する挟持部を有し、前記面発光パネルを保持した前記保持部材を前記取付部材に取り付けることで、前記面発光パネル及び前記保持部材の自重が前記壁面に支持されることを特徴とする面発光ユニットである。
【００１０】
本発明の面発光ユニットは、簡単な構成で安定的に面発光パネルを支持可能である。また、様々な場所に簡単に取り付け可能であり、汎用性が高い。さらに、拡散光を発する面状光源を有する構造であるため、ＬＥＤ等の直線的な光を発する点光源とは異なり、少ない光源数で広い範囲を明るくできる。
【００１１】
本発明の面発光ユニットは、前記壁面が鉛直面であり、前記発光面が水平面であることが好ましい（請求項２）。
【００１２】
請求項３に記載の発明は、前記発光面が上側を向いていることを特徴とする請求項２に記載の面発光ユニットである。
【００１３】
本発明の面発光ユニットは、コーブ照明として特に好適に使用できる。
【００１４】
請求項４に記載の発明は、前記パネル保持部は、前記面発光パネルの裏面側に位置する水平板部を有し、前記水平板部は、前記面発光パネルが直接又は間接的に載置されるパネル載置面と、前記パネル載置面の反対側に位置する化粧面を両主面とし、前記化粧面が居住空間側を向くことを特徴とする請求項３に記載の面発光ユニットである。
【００１５】
かかる構成によると、居住空間側から視認したときに美しく見えるので、美しく洗練された印象の空間を形成できる。
【００１６】
請求項５に記載の発明は、前記パネル保持部は、前記面発光パネルの裏面側に位置する一の水平板部と、前記発光領域に隣接する隙間部分を有する他の水平板部を含み、前記係止部は、一部が他部に対して屈曲可動が可能に形成されており、通常時姿勢と屈曲時姿勢の切り替えが可能であって、屈曲時姿勢を維持可能な屈曲維持機構を備えることを特徴とする請求項１乃至４のいずれかに記載の面発光ユニットである。
【００１７】
かかる構成によると、通常時姿勢と屈曲時姿勢を切り替えることで、それぞれ異なる位置に光を照射する照明装置として使用できる。このことから、さまざまな印象の空間を形成可能であり、汎用性が高い。
また、保持部材を取付部材に取り付ける際、保持部材を取り付けやすい姿勢として取り付け作業を行うことが可能であり、作業の容易化を図ることができる。
【００１８】
請求項６に記載の発明は、前記面発光パネルが有機ＥＬパネルであることを特徴とする請求項１乃至５のいずれかに記載の面発光ユニットである。
【００１９】
かかる構成によると、面発光パネルを薄く軽いものにできるので、高位置から落下しても人が怪我等をし難く、安全性の高いものとすることができる。
【発明の効果】
【００２０】
本発明によると、簡単な構造で汎用性の高い面発光ユニットを提供できる。
【図面の簡単な説明】
【００２１】
【図１】本発明の実施形態に係る照明装置を室内壁面に取り付けた様子を示す説明図である。
【図２】図１の照明装置を示す断面斜視図である。
【図３】図１の照明装置を示す断面図である。
【図４】（ａ）は、図３の取付部材を示す断面図であり、（ｂ）は、図３のパネル保持部材及び面発光パネルを示す断面図である。
【図５】上記した実施形態とは異なる実施形態に係る照明装置を示す説明図であり、通常時姿勢から屈曲時姿勢へ移行する様子を示す図であって、（ａ）〜（ｃ）の順に移行する。
【図６】上記した実施形態とは異なる実施形態に係る照明装置を示す説明図であり、面発光パネルを取り外す様子を示す図であって、（ａ）〜（ｃ）の順に取り外す。
【発明を実施するための形態】
【００２２】
以下、本発明の実施形態にかかる照明装置１（面発光ユニット）について、図面を参照しつつ詳細に説明する。なお、以下の説明において、特に断りのない限り、取り付け時における壁面側を壁側、水平方向において壁側の反対側を外側とする。また、上下方向は、図１で示される状態を基準として説明する。
【００２３】
本実施形態の照明装置１は、室内の壁面（側壁を形成する鉛直面）に固定可能であり、図１で示されるように、特に室内側壁の上側部分に固定してコーブ照明（インテリア照明）として使用することが好ましいものである。
【００２４】
この照明装置１は、図２で示されるように、壁面に固定する取付部材２と、取付部材２に対して取り付けるパネル保持部材３（保持部材）とを備えた構造となっている。そして、パネル保持部材３に保持された面発光パネル４から光を照射するものとなっている。
【００２５】
取付部材２は、図３で示されるように、断面形状が天地逆とした略Ｌ字状となるように屈曲して延びる本体板部１５と、本体板部１５の上面から上方に突出する突起部１６と、ネジ受部１７を有する。
【００２６】
本体板部１５は、図４（ａ）で示されるように、立板状の接触板部２０と、接触板部２０の上端部分から突出する平板状の突出板部２１とが一体になって形成されている。
【００２７】
接触板部２０は、断面形状が上下方向に延びる略長方形状となる長尺状の部分であり、取り付け時に壁面側に位置する壁側主面２０ａと、その反対側に位置する外側主面２０ｂを有する。この接触板部２０は、壁面の広がり方向と同方向に広がりを持ち、壁面への取り付け時（固定時）に一方の主面（壁側主面２０ａ）が壁面と面接触する（図３参照）。つまり、取り付け時における接触板部２０の厚さ方向は、壁面と交わる（直交する）方向となる。
【００２８】
この接触板部２０には、取付部材２を壁面に固定する際に締結要素の挿通部分となる取付用孔２３が形成されている。
取付用孔２３は、接触板部２０を厚さ方向に貫通する貫通孔である。取付用孔２３は、接触板部２０（取付部材２全体）の上下方向における中心位置よりも下方側であり、下端よりもやや上方に形成されている。
なお、ここでいう「締結要素」とは、ネジ、釘、ボルトといった、複数部材を貫通して（又は少なくとも一部材を貫通すると共に他の一部材内に挿通して）一体に固定する棒状の固定手段とし、以下の記載においても同様のものとする。
【００２９】
突出板部２１は、接触板部２０の上端部分を折り曲げて形成される部分であり、水平方向（壁面と垂直となる方向）に突出する部分である。つまり、本実施形態の突出板部２１は、両主面である上面と下面がいずれも水平面となる。
つまり、突出板部２１は、接触板部２０から外側に突出する部分であり、その突出方向は、接触板部２０の主面と交わる方向となる。言い換えると、取り付け時における突出板部２１の突出方向は、壁面と交わる方向となる（図３参照）。
【００３０】
突起部１６は、突出板部２１の上面から上方へ突出する立板状の部分である。つまり、この突起部１６の上側部分は、突出板部２１の上面の他部よりも高位置に配される。
ここで、突起部１６は、突出板部２１の突出方向における基端部分よりも同方向先端側に離れた位置から上方へ突出している。このことから、壁面への取り付け時において、突起部１６の壁側の主面と壁面とが離間対向した状態となり、これらの間に隙間２５が形成される（図３参照）。
本実施形態では、突起部１６は、取付部材２の全体における上端部分に位置している。このことから、取付部材２において最も高位置となる部分に、突起部１６の上端部分が位置する。
【００３１】
ネジ受部１７は、取付ネジ５０（詳しくは後述する、図３参照）と係合する部分であり、接触板部２０の外側主面２０ｂから外側へ突出する空間形成部２７と、ナット２８を有する。
【００３２】
空間形成部２７は、取付ネジ５０（詳しくは後述する）の軸先部分が配される空間を形成する部分であり、その突出端部分（外側端部）にナット２８が固定されている。
この空間形成部２７は、上端側で外側へ突出する板状部分と、下端側で外側へ突出する板状部分と、外側端部に位置する立板状部分を有する。そして、立板状部分の一部が欠落しており、上下方向で離れた二つの板状部分の間に形成される空間と外部を連通している。つまり、空間形成部２７によって形成される空間は、少なくとも上方、下方、及び外側側方の一部が覆われた空間となる。
【００３３】
そして、空間形成部２７の外側端部に位置する立板状部分の欠落部と、ナット２８の内孔部分とが連続しており、一連の空間を形成している。
【００３４】
このネジ受部１７は、接触板部２０（取付部材２全体）の上下方向における中心近傍に形成されており、取付用孔２３よりも上方であって、突出板部２１よりも下方に形成されている。
【００３５】
パネル保持部材３は、図３で示されるように、壁面側に位置する掛止部３５と、掛止部３５の下端側部分から外側へ突出するパネル保持部３６とが一体となって形成されている。
【００３６】
掛止部３５は、図４（ｂ）で示されるように、断面形状が略Ｃ字状となるように屈曲して延びる部分であり、上端側に位置する取付用掛止部４０と、下端側に位置する壁面当接部４１（接触部）を有する。また、上下方向における中心よりもやや上方には、軸挿通孔４２が形成されている。
【００３７】
具体的に説明すると、掛止部３５は、立板状の本体板部４５と傾斜板部４６とを有する。
本体板部４５は、断面形状が上下方向に延びる略長方形状となる長尺状の部分であり、壁面の広がり方向と同方向に広がりを持つ部分である。つまり、取り付け時における本体板部４５の厚さ方向は、壁面と交わる（直交する）方向となる。
この本体板部４５は、取り付け時に壁面から離れた位置に配され、壁側の主面が壁面と離間対向する部分となっている。
【００３８】
なお、この本体板部４５の下端側部分は、壁面当接部４１と連続する部分であり、パネル保持部３６と連続する部分でもある。
【００３９】
壁面当接部４１は、平板状の部分であり、本体板部４５から水平方向（壁面と垂直となる方向）に突出する部分である。したがって、壁面当接部４１は、取り付け時において、壁面に近づく方向に延びた状態で配される。つまり、壁面当接部４１は、両主面である上面と下面がいずれも水平面となり、突出端に位置する端面が壁面との接触面となる。
つまり、突出板部２１は、本体板部４５の下端周辺に位置する壁側の主面から、さらに壁側に突出する部分であり、その突出方向は、本体板部４５の主面及び壁面と交わる方向となる。
【００４０】
傾斜板部４６は、本体板部４５の上端部分と連続しており、取り付け時において、上側に向かうにつれて壁面に近づく方向へ傾斜する板状部分となっている。
すなわち、本体板部４５と傾斜板部４６は、屈曲して延びる一連の板状部分となっている。
なお、特に限定されるものではないが、この傾斜板部４６の壁面に対する傾斜角度θは、３０度以上６０度以下となることが好ましく、本実施形態では４５度程度（４６度）となっている。また、ここでいう「程度」とは、１〜１０パーセントの誤差を含むものとし、以下も同様とする。
【００４１】
ここで、傾斜板部４６の上端部分は、下方側へ突出する立板状の突出片部４７（挿入部）と連続しており、傾斜板部４６の上端部分と突出片部４７によって取付用掛止部４０が形成されている。
突出片部４７は、断面形状が上下方向に延びる略長方形状となる長尺状の部分であり、壁面の広がり方向と同方向に広がりを持つ部分である。つまり、取り付け時における突出片部４７の厚さ方向は、壁面と交わる（直交する）方向となる。
以上のことから、取付用掛止部４０は、断面形状が略Ｖ字状となる鉤状部分となっている。
【００４２】
軸挿通孔４２は、本体板部４５を厚さ方向に貫通する貫通孔であり、取付ネジ５０の軸部分を挿通可能な孔である。
【００４３】
取付ネジ５０は、図３で示されるように、頭部５０ａと軸部５０ｂを有する。
頭部５０ａと軸部５０ｂは、いずれも略円柱状の部分であり、頭部５０ａが軸部５０ｂと比べて大径となっている。詳細には、頭部５０ａは、径方向の長さが軸挿通孔４２の開口径よりも大きく、軸挿通孔４２に挿通できない大きさとなっている。これに対し、軸部５０ｂは、径方向の長さが軸挿通孔４２の開口径以下であり、軸挿通孔４２に挿通可能な大きさとなっている。なお、軸部５０ｂの外周部分には、ネジ山（図示しない）が形成されている。
【００４４】
パネル保持部３６は、図４（ｂ）で示されるように、水平板部５５と、パネル挟持部５６（挟持部）と、押さえ板部５７を有しており、全体としての断面形状が厚板状となる部分である。
【００４５】
水平板部５５は、上面と下面（裏面）が両主面となる平板状の部分であり、本体板部４５から水平方向（壁面と垂直となる方向）に突出する部分である。この水平板部５５は、取り付け時において、壁面から離れる方向に延びた状態で配される部分であり、壁面当接部４１とは逆向きに延びる部分である。
【００４６】
この水平板部５５の上面は、面発光パネル４を直接又は間接的に載置するための載置面を形成する部分である。言い換えると、水平板部５５の上面の少なくとも一部は、面発光パネル４を載置するためのパネル載置面となる。
なお、本実施形態では、この水平板部５５の上面に緩衝部材６３が載置されており、緩衝部材６３の上側に面発光パネル４が載置されている。つまり、面発光パネル４が水平板部５５の上面に間接的に載置された状態となっている。
【００４７】
対して、水平板部５５の下面は、図１で示されるように、居住空間６０を向く化粧面となる部分である。
なお、居住空間６０とは、室内において人（又はペット等の動物）が活動する空間であり、室内空間の下方側に位置する部分である。
【００４８】
パネル挟持部５６は、図４（ｂ）で示されるように、断面形状が略コ字状となる部分であり、水平板部５５の突出端側の一部分を含んで形成されている。
具体的には、パネル挟持部５６は、面発光パネル４の一部分の上方に位置する上板部分５６ａと、同部分の下方に位置する下板部分５６ｂと、その間を連結する連結部５６ｃとが一体となって形成される部分である。
【００４９】
本実施形態では、面発光パネル４の一部と緩衝部材６３の一部が重なって重畳体が形成され、この重畳体が上板部分５６ａ、下板部分５６ｂによって挟持された状態となっている。つまり、面発光パネル４が間接的に（他部材と共に）挟持された状態となっている。
【００５０】
したがって、このパネル挟持部５６は、壁面から外側へ向かって窪んだ空間であるパネル収納空間６６を有する。
具体的には、パネル挟持部５６は、緩衝部材６３を収納する緩衝材収納空間６７の上側にパネル収納空間６６が形成されており、これらは連続する空間となっている。また、これらは、いずれも断面形状が略四角形状となる空間であり、緩衝材収納空間６７の外側端部（図４（ｂ）の左端）は、パネル収納空間６６の外側端部（図４（ｂ）の左端）よりも外側に位置している。つまり、緩衝材収納空間６７がパネル収納空間６６よりも大きく窪んでおり、これらの間に段差が形成されている。
なお、特に限定されるものではないが、本実施形態では、連結部５６ｃの突出端側上方が欠落した形状となっており、パネル保持部３６の突出端上方に傾斜面が形成されている。この傾斜面は、壁面側へ向かうにつれて高さが高くなるように傾斜する。
【００５１】
押さえ板部５７は、掛止部３５の本体板部４５に対し、着脱可能な平板状の部材である。
具体的には、本体板部４５の外側面に板係合部４５ａが形成されており、押さえ板部５７の一部を板係合部４５ａに挿入することで取り付け可能となっている。
なお、板係合部４５ａは、上下方向で離間する位置に配される２つの突出片部分によって形成されており、押さえ板部５７を挟持することが可能となっている。つまり、押さえ板部５７は、片持ち状に取り付けられる部分であり、本体板部４５から水平方向（壁面と垂直となる方向）に突出した状態で取り付けられる部分である。
つまり、押さえ板部５７は、取り付け時において、壁面から離れる方向に延びた状態となる。
【００５２】
ここで、押さえ板部５７の突出端部分と、パネル挟持部５６の上板部分５６ａの間には、面発光パネル４の光を外部へ取り出すための空隙部７０が形成されている。
この空隙部７０は、パネル保持部３６の上側部分に形成され、パネル保持部３６の内部空間と外部を連通する貫通孔となる部分である。言い換えると、押さえ板部５７と上板部分５６ａが一つの水平板状の部分を形成しており、この水平板状の部分に上下端それぞれに開口を有する貫通孔（空隙部７０であり、隙間部分）が形成されている。
【００５３】
つまり、パネル保持部３６は、内部が中空となる部分であり、押さえ板部５７、上板部分５６ａと水平板部５５の間であって、連結部５６ｃと本体板部４５の間となる位置に内部空間が形成される。そして、その内部空間は、少なくとも下方と、上方の一部と、壁面側の側方及びその反対側の側方が覆われた空間となる。
なお、この内部空間は、面発光パネル４、緩衝部材６３や配線部材（面発光パネル４への給電や制御信号の送信のための配線部材）等を収納する空間となっている。
【００５４】
面発光パネル４は、図３で示されるように、面状に広がりを持つ略四角形板状の有機ＥＬパネルであり、具体的には、有機ＥＬ素子を内蔵する板状の有機ＥＬパネル本体７５に、枠状のフレーム部材７６を取り付けて形成されている。この面発光パネル４は、一方の主面となる発光面４ａと、他方の主面となる裏面４ｂを有する。
【００５５】
発光面４ａは、中心側に位置する発光領域と、縁端側に位置する非発光領域に区画されている。発光領域は、点灯時に面状の拡散光を発する部分であり、非発光領域は、有機ＥＬパネル本体７５の縁端部分がフレーム部材７６によって覆われて形成される。
【００５６】
なお、面発光パネル４の発光領域は、少なくとも一部（本実施形態では全域）が、パネル保持部３６の空隙部７０と上下方向で重なる位置に配されている。このことにより、面発光パネル４の点灯時には、空隙部７０を介して外部に光が照射される。
【００５７】
裏面４ｂには、外部の給電端子と電気的な接点となるコネクタ部（図示しない）が形成されている。すなわち、面発光パネル４は、このコネクタ部から給電されることで発光する。また、本実施形態の面発光パネル４は、図示しない回路基板を備えており、輝度の変更（調光）が可能となっている。つまり、面発光パネル４は、通電することで発光し、調光が可能な面状光源である。
【００５８】
具体的には、本実施形態では、面発光パネル４の裏面４ｂの縁端部分が緩衝部材６３と接触しており、中央側の部分が緩衝部材６３の上側に形成された凹部と重なる位置に配されている。この凹部が、面発光パネル４の回路基板や、面発光パネル４と接続される配線等を配置するための領域を形成している。
【００５９】
本実施形態の照明装置１では、図３で示されるように、パネル保持部３６の突出方向の長さであり、本体板部４５の外側面からパネル保持部３６の突出端までの長さＬ１が、掛止部３５の上下方向の長さよりも長くなっている。
したがって、当然のことながら、このパネル保持部３６の突出方向の長さＬ１は、掛止部３５の下端部分から軸挿通孔４２まで（軸挿通孔４２の上下方向における中心位置まで）の長さＬ２よりも長い。さらに、掛止部３５の下端部分から突出片部４７の下端までの長さＬ３よりも長い。なお、この長さＬ３は、直立した姿勢における突出片部４７の下端までの長さであり、突出板部２１の上面（図４（ａ）参照）までの長さである。
より詳細には、上記長さＬ１は、上記長さＬ２の３倍乃至６倍程度の長さであり、本実施形態では４．８倍程度の長さとなっている。
【００６０】
また、本実施形態の照明装置１では、掛止部３５の内部空間に取付部材２が収納され、取付部材２が外部から視認できない状態となる。このため、本実施形態の照明装置１は、意匠性が高い。
【００６１】
続いて、本実施形態の照明装置１を壁面に固定する際の手順について、図面を参照しつつ詳細に説明する。
【００６２】
まず、図３等で示されるように、取付部材２を壁面（取り付け対象となる面）に対して固定する工程（取付部材固定工程）を実施する。
この工程では、接触板部２０（図４参照）の一主面（壁側主面２０ａ）を壁面に対して接触させた状態とし、取付用孔２３に締結要素を挿通し、これらを一体に固定する。
【００６３】
続いて、パネル保持部材３を取付部材２に取り付ける工程（保持部材取付工程）を実施する。
この工程では、パネル保持部材３の取付用掛止部４０を、壁面に固定された取付部材２に掛止し、壁面当接部４１を壁面に接触させた状態とする。すなわち、取付用掛止部４０を突起部１６と壁面の間に形成される隙間２５に挿入した状態とする。
ここで、隙間２５の間隔（壁面から突起部１６までの距離）は、突出片部４７（図４（ｂ）参照）の厚さよりも長くなっており、突出片部４７の下端側部分が隙間２５に挿入された状態となる。
【００６４】
このとき、パネル保持部３６の突出端側部分には、自重により、図３において反時計回りとなる力のモーメントが生じるが、取付用掛止部４０、壁面当接部４１が壁面に接触することで、壁面によって力を受け止めることができる。
ここで、本実施形態の照明装置１は、光源として面状光源である面発光パネル４を採用しており、パネル保持部３６の突出方向の長さは、仮に点光源であるＬＥＤ等を採用する場合に比べ、比較的長いものとなる。
しかしながら、上記したような壁面によって力を受け止める構造により、パネル保持部材３と取付部材２を係合させた際の姿勢を安定させることができる。
【００６５】
さらに、パネル保持部材３と取付部材２を係合させた状態で、取付ネジ５０の軸部５０ｂを軸挿通孔４２に挿通し、取付部材２のネジ受部１７を係合させる。
具体的には、軸部５０ｂの一部をナット２８（図４（ｂ）参照）と螺合させ、必要に応じて軸部５０ｂの先端部分を空間形成部２７（図４（ｂ）参照）の内側空間に配する。
そして、取付ネジ５０を回転させつつ押し入れることで、取付ネジ５０の頭部５０ａが本体板部４５の外側面と接触した状態となる。この状態から取付ネジ５０をさらに押し入れることで、頭部５０ａが本体板部４５を壁面側へ押圧する。
このことにより、取付ネジ５０の頭部５０ａによって掛止部３５が壁面側へ押し付けられる。このとき、突出片部４７の側面が壁面と面接触した状態となり、壁面当接部４１の端面が壁面と面接触した状態となる。
【００６６】
さらに、照明装置１を壁面に固定する際には、パネル保持部材３に面発光パネル４を取り付ける工程（発光パネル取付工程）を実施する。なお、この工程は、パネル保持部材３を取付部材２に取り付ける工程に先だって実施してもよく、この工程後に実施してもよい。
【００６７】
この工程は、面発光パネル４、緩衝部材６３、各種配線等をパネル保持部３６の内部空間の適宜な位置に配置する工程であり、必要に応じて押さえ板部５７を一時的に取り外す等して実施する。また、この工程は、メンテナンス等において、面発光パネル４を交換する等においても実施する。
【００６８】
上記した実施形態における面発光パネル４は、照明装置１の長手方向（図３における奥行き方向）に長い平面視形状が略長方形状となるものを採用してもよく、平面視形状が略正方形状となるものを採用してもよい。このとき、照明装置１の長手方向の長さ（水平方向長さ）に応じて、一つのみ取り付けてもよく、複数並置して取り付けてもよい。
【００６９】
上記した実施形態における照明装置１では、取付用掛止部４０の内側面と取付部材２（具体的には突起部１６、突出板部２１であり、図４（ａ）参照）の間に空間が形成されている。この空間部分は、面発光パネル４に電力を供給するための給電線を配置する配線配置空間とすることが可能となっている。
この場合、突起部１６や突出板部２１、本体板部４５等の一部に欠落部を設け、給電線を面発光パネル４まで延設してもよい。また、配線配置空間には、このような給電線の他、例えば、面発光パネル４に制御信号を送信するための配線部材等、他の各種配線部材を配置できる。
【００７０】
上記した実施形態の他、図５で示されるように、パネル保持部材１０３（保持部材）の掛止部１３５は、一部が屈曲可能な構造としてもよい。
このとき、取付ネジ５０の頭部５０ａをゴム等の弾性変形可能な部材で形成すると共に、パネル保持部１３６の一部にこの頭部５０ａと係合可能な被係合部１５１を設けた構造としてもよい。
以下、この実施形態に係る照明装置１０１（面発光ユニット）について詳細に説明するが、特に断りのない限り、上下方向は壁面への取り付け時を基準として説明する。
【００７１】
本実施形態の掛止部１３５は、本体板部１４５の上部と下部がそれぞれの別体の板状体であり、これらが互いに回動可能となるように連結されている点において、上記した掛止部３５と異なる構造となっている。詳細には、本実施形態の本体板部１４５では、上側（取付用掛止部４０側）の立板状部分と、下側（壁面当接部４１側）の立板状部分が蝶番部材を介して連結されている。
【００７２】
このため、掛止部１３５は、本体板部１４５の上部と下部の厚さ方向が同方向となる通常時姿勢（図５（ａ）参照）と、この通常時姿勢から本体板部１４５の上部と下部の少なくとも一方（図５では下部）を回動させた屈曲時姿勢を切り替え可能となっている。
【００７３】
通常時姿勢では、図５（ａ）で示されるように、本体板部１４５の上部の下面と下部の上面が面接触した状態となり、本体板部１４５の上部と下部が上下方向で並んだ状態となる。つまり、この通常時姿勢では、本体板部１４５の上部と下部が、あたかも一つの立板状部分であるかのような状態となる。
【００７４】
対して、屈曲時姿勢では、図５（ｃ）等で示されるように、本体板部１４５の上部の下面に、下部が接触しない状態（通常時姿勢に上面となる下部の端面が離間した状態）となる。そして、本実施形態では、さらに本体板部１４５の上部と下部の厚さ方向が互いに交わる方向となる。つまり、この通常時姿勢では、本体板部１４５が、あたかも屈曲して延びる板状部分であるかのような状態となる。
【００７５】
本実施形態のパネル保持部１３６は、突出方向における基端側部分に、被係合部１５１が形成されている点において、上記したパネル保持部３６と異なる構造となっている。
被係合部１５１は、押さえ板部１５７に形成される貫通孔であり、パネル保持部１３６の内外を連通する孔である。この被係合部１５１の開口径は、取付ネジ５０の頭部５０ａの径と同一又はやや小さくなっている。
【００７６】
このことから、本実施形態の照明装置１０１では、掛止部１３５を屈曲時姿勢とし、取付ネジ５０の頭部５０ａを被係合部１５１に挿入することで、屈曲時姿勢が維持された状態となる。つまり、取付ネジ５０の頭部５０ａと被係合部１５１とが屈曲時姿勢を維持する屈曲維持機構として機能する。
【００７７】
本実施形態の照明装置１０１では、上記したように、掛止部１３５の一部が他部に対して屈曲可動可能であることから、壁面への取り付け時にパネル保持部材１０３を取付部材２に係合させる際、これらを係合させる作業が容易であるという利点がある。
つまり、掛止部１３５を適宜屈曲させつつ取付用掛止部４０を取付部材２に掛止させ、その後に通常時姿勢へと移行させることができるので、作業者が取付用掛止部４０を取付部材２に掛止させ易い姿勢で作業できる。
さらに、屈曲時姿勢を維持することが可能であるので、天井面に光を照射するコーブ照明として使用可能である他、室内側壁面に光を照射する間接照明としても使用可能である。
【００７８】
上記した実施形態では、被係合部１５１が貫通孔である例について説明したが、これに限定されるものではなく、例えば、押さえ板部１５７の一部を窪ませて（通常時姿勢において下方側へ窪ませて）形成される凹部（有底孔）であってもよい。すなわち、頭部５０ａと係合することで屈曲時姿勢を維持できればよい。
【００７９】
また、取付ネジ５０の頭部５０ａを突起部分とし、被係合部１５１をそれと係合する部分とする屈曲維持機構について説明したが、屈曲維持機構は、必ずしもこれに限定されるものではない。
例えば、本体板部１４５と、パネル保持部１３６のいずれか一方に突起部分を設けると共に、他方にそれと係合可能な凹部又は孔部分を設け、これらを屈曲維持機構としてもよい。この場合、取付ネジ５０の頭部５０ａを上記のものよりも小型化する、又は、上記の被係合部１５１よりも開口径の大きな孔部分を形成し、これらが姿勢変更を阻害しないようにしてもよい。つまり、取付ネジ５０とは別に屈曲維持機構を設けてもよい。
【００８０】
さらにまた、上記した実施形態の他、照明装置２０１（面発光ユニット）は、図６で示されるように、面発光パネル４を上方側に押圧する押圧板部２０７を備えた構造としてもよい。
以下、この実施形態に係る照明装置２０１について詳細に説明するが、特に断りのない限り、上下方向は壁面への取り付け時を基準として説明する。
【００８１】
本実施形態の照明装置２０１は、パネル保持部２３６の構造が、上記した照明装置１とは異なるものとなっている。
具体的に説明すると、パネル保持部２３６の内部空間であるパネル配置空間２５４は、図６（ａ）で示されるように、上方を第一上側板部２５６、第二上側板部２５７によって覆われており、下方を下側板部２５８によって覆われている。また、壁面側の側方を掛止部３５の本体板部４５が覆っており、反対側となるパネル保持部２３６の突出端側の側方を側壁形成部２５９が覆っている。
【００８２】
第一上側板部２５６は、パネル保持部２３６の突出端側に位置する平板状部分である。対して、第二上側板部２５７は、壁面側に位置する平板状部分であり、本体板部４５の外側側面から外側へ突出する部分である。これら第一上側板部２５６と第二上側板部２５７は、同一（又は略同一）の高さに形成されており、厚さもまた同一（又は略同一）となっている。そして、第一上側板部２５６と第二上側板部２５７の間には、パネル配置空間２５４の内外を連通する空隙部２７０が形成されている。
【００８３】
空隙部２７０は、パネル保持部２３６の突出方向における開口長さ（図６における左右方向の長さ）が、取り付け位置に配置した面発光パネル４（図６（ａ）参照）の同方向の長さよりも短くなっている。
なお、詳しく後述するが、この空隙部２７０は、面発光パネル４の入出口となる部分でもある。つまり、面発光パネル４をパネル配置空間２５４の内部から取り出したり、面発光パネル４をパネル配置空間２５４の内部へ入れ込んだりする際に、面発光パネル４を通過させる部分となる。
【００８４】
下側板部２５８は、本体板部４５の外側面から突出し、屈曲しつつ延びる板状部分であって、一部に周囲よりも下方に窪んだ部分である移動代形成部２６０を有する。
つまり、下側板部２５８は、上側に位置する平板状部分と、移動代形成部２６０が連続して形成されている。
【００８５】
側壁形成部２５９は、パネル保持部２３６の突出端側で上下方向に延びる立壁状部分の一部であり、第一上側板部２５６と下側板部２５８の端部同士を繋ぐように延びる部分である。
【００８６】
押圧板部２０７は、弾性部材２０７ａを介して下側板部２５８に対して取り付けられた平板状部分であり、常時上方側へ付勢されている。
【００８７】
本実施形態の照明装置１は、面発光パネル４をパネル配置空間２５４にずらし入れることで、面発光パネル４を取り付ける構造となっている。
すなわち、面発光パネル４を傾斜した姿勢としつつ空隙部２７０からパネル配置空間２５４へ挿入し、面発光パネル４で押圧板部２０７を押圧しつつ面発光パネル４の姿勢を変更していく。このことにより、面発光パネル４が取付時姿勢（図６（ａ）参照）でパネル配置空間２５４の規定位置（取り付け位置）に収納された状態となる。
【００８８】
面発光パネル４が取り付けられた状態では、面発光パネル４の発光領域の少なくとも一部（本実施形態では全域）が、空隙部２７０と平面視で重なる位置に配される。このことから、面発光パネル４の点灯時には、空隙部２７０を介して外部に光が照射されることとなる。つまり、空隙部２７０は、面発光パネル４の光を外部へ照射するための開口部分としても機能する。
【００８９】
その一方で、面発光パネル４の非発光領域を含む縁端部分は、空隙部２７０と隣接する第一上側板部２５６、第二上側板部２５７と平面視で重なる位置に配される。
【００９０】
すなわち、面発光パネル４が取り付けられた状態では、面発光パネル４の裏面４ｂ側に押圧板部２０７が接触し、面発光パネル４が押圧板部２０７によって常時上方側へ押圧された状態となる。そして、面発光パネル４の発光面４ａ側の縁端近傍となる部分が、第一上側板部２５６、第二上側板部２５７に押し付けられ、これらの下面と接触した状態となる。
【００９１】
つまり、面発光パネル４は、パネル保持部２３６の突出方向における片側端部側の部分が、第一上側板部２５６と押圧板部２０７によって挟持された状態となる。その一方で、同方向における他方端部側の部分が、第二上側板部２５７と押圧板部２０７によって挟持された状態となる。
【００９２】
この面発光パネル４をパネル保持部２３６から取り外す際には、面発光パネル４の一部を付勢力に抗して下方へ押圧することで、面発光パネル４及び押圧板部２０７の一部を移動代形成部２６０の内部側に配した状態とする（図６（ｂ）参照）。
さらに、この状態から面発光パネル４の姿勢を変更させつつ側方側へと移動させ、姿勢変更させた面発光パネル４の上方側部分を空隙部２７０と重なる位置まで移動させる（図６（ｃ）参照）。このことにより、面発光パネル４を取り出すことが可能となる。
【符号の説明】
【００９３】
１，１０１，２０１  照明装置（面発光ユニット）
２  取付部材
３，１０３  パネル保持部材（保持部材）
４  面発光パネル
４ａ  発光面
４ｂ  裏面
１６  突起部
３５，１３５  係止部
３６，１３６，２３６  パネル保持部
４１  壁面当接部（接触部）
４７  突出片部（挿入部）
５５  水平板部
５６  パネル挟持部（挟持部）
６０  居住空間
【図１】
2019197659.tif 000003
【図２】
2019197659.tif 000004
【図３】
2019197659.tif 000005
【図４】
2019197659.tif 000006
【図５】
2019197659.tif 000007
【図６】
2019197659.tif 000008